(57)【要約】【課題】予圧ボスの加工工数を削減するとともに、アース部品の組立工数を削減する回転ヘッドドラム装置を提供するものである。【解決手段】シャフト１２に装着され、かつ軸受け部１５と予圧ボス１６とを電気的に接続させるアースブラシユニット１７を備え、アースブラシユニット１７は、少なくともシャフト１２に装着可能な環状部３１と、環状部３１から径方向へ延設されかつ弾性変形可能なリブ３２と、リブ３２の主面に対して略垂直方向へ突設されたブラシ部３３とを備え、環状部３３が軸受け部１５の内輪端面と予圧ボス１６の下端面１６ａとの間に保持され、ブラシ部３３が軸受け部１５の外輪端面にリブ３２の弾性力によって圧接されるものである。【選択図】図１
2007200372.tif 000002
【特許請求の範囲】
【請求項１】
磁気テープを案内する固定ドラムと、
前記固定ドラムに同軸的に固着されているシャフトと、
前記シャフトを中心に回転し、少なくとも一対の磁気ヘッドを有する回転ドラムと、
前記回転ドラムと前記シャフトとの間でかつ前記シャフトの軸方向の上部と下部に配された一対の軸受け部と、
前記回転ドラムの上部において前記シャフトに固着された予圧ボスと、
前記シャフトに装着され、かつ前記軸受け部と前記予圧ボスとを電気的に接続させるアースブラシユニットとを備え、
前記アースブラシユニットは、
少なくとも前記シャフトが挿着可能な環状部と、前記環状部から径方向へ延設され弾性変形可能なリブと、前記リブの主面から鉛直方向へ突設されたブラシ部とを備え、
前記環状部が前記軸受け部の内輪端面と前記予圧ボスの下端面との間に保持され、前記ブラシ部が前記軸受け部の外輪端面に接触するように配置されることを特徴とする回転ヘッドドラム装置。
【請求項２】
前記ブラシ部は、前記リブの弾性力によって、前記軸受け部の外輪端面に圧接される請求項１記載の回転ヘッドドラム装置。
【請求項３】
前記軸受け部の外輪端面に対する前記ブラシ部の当接圧を、１５〜２５ｇｆとした請求項２記載の回転ヘッドドラム装置。
【発明の詳細な説明】
【技術分野】
【０００１】
本発明は、ビデオテープレコーダー等に搭載される回転ヘッドドラム装置に関する。
【背景技術】
【０００２】
従来の回転ヘッドドラム装置は、回転体と磁気テープとの摺動により発生する静電気をアースするために、予圧ボスに設けた貫通孔にブラシとバネを挿入して配置させ、このバネにより付勢されたブラシを、回転体に装着されたキャップと当接させる構成を有している（例えば特許文献１参照）。
【０００３】
以下、従来の回転ヘッドドラム装置について説明する。
【０００４】
図３は回転ヘッドドラムの外観構成を示す斜視図である。図３において、固定ドラム１は、略円筒形状を成しており、シャーシ（図示せず）に固定されている。固定ドラム１の略中心には、シャフト２が固定されている。また、固定ドラム１の円筒面の一部には、磁気テープをシャフト２に対して傾斜して巻き回すことが可能なように、段差形状のリード部１ａが形成されている。
【０００５】
回転ドラム３は、略円筒形状を成しており、軸受け（図４を参照して後述）を介在して、シャフト２に軸支されている。また、回転ドラム３は、モータユニット２０によって矢印Ａに示す方向へ回転駆動される。また、回転ドラム３には、磁気テープ（図示せず）に対して映像信号等を記録または再生可能な磁気ヘッド４が内蔵されており、回転ドラム３に設けられた開口から磁気ヘッド４の先端が露出するように配されている。
【０００６】
図３に示す回転ヘッドドラムによって、磁気テープへの信号の記録または再生を行う際、磁気テープは、固定ドラム１のリード部１ａに幅方向下端が支持されて、固定ドラム１及び回転ドラム３の円筒面に斜めに巻き回される。次に、回転ドラム３が、モータユニット２０によって回転され、磁気ヘッド４に動作電流を印加することにより、磁気テープに対して映像信号などの記録または再生を行うことができる。
【０００７】
次に、図４は、従来の回転ヘッドドラム装置の断面図を示すものであり、図３におけるＺ−Ｚ部の断面である。図４において、図３と同様の構成要素については説明を省略する。玉軸受け５は、回転ドラム３の上部と下部に一対装着され、回転ドラム３をシャフト２に対して回転自在に支持している。予圧ボス６は、上部側の玉軸受け５の内輪上端面に当接し、シャフト２に圧入固定されている。ブラシ７は、予圧ボス６の外周近傍の軸方向に設けられた貫通孔に挿入され、下端部が上部側玉軸受け５の外輪上端面と当接して配されている。バネ８は、予圧ボス６の貫通孔に挿入され、ブラシ７の上部に位置しブラシ７を付勢している。モータ部ローター９は、回転ドラム３に固定されている。モータ部ステーター１０は、予圧ボス６にビスなどで固定されている。モータ部ローター９モータ部ステーター１０とで、モータユニット２０を構成している。またモータ部ステーター１０は、バネ８を上方向から押さえ込み、ブラシ７に付勢力を与えている。
【０００８】
以下、動作について説明する。
【０００９】
磁気ヘッド４を含む回転ドラム３が回転することによって、磁気テープ（図示せず）に映像・音声等の情報信号が記録される。また、記録済みの磁気テープであれば、磁気テープに記録された情報信号を再生することができる。
【００１０】
また、磁気テープと回転ドラム３との摺動により発生した静電気をアースさせるために、予圧ボス６に貫通孔を設け、貫通孔にブラシ７およびバネ８を挿入し、バネ８の付勢力によってブラシ７を玉軸受け５に圧接させている。したがって、発生した静電気は、回転ドラム３→玉軸受け５→ブラシ７→予圧ボス６→シャフト２→固定ドラム１→シャーシ（図示せず）の経路を通り、アースされる。
【特許文献１】特開２００３−９９９０７号公報（第４頁、図１）
【発明の開示】
【発明が解決しようとする課題】
【００１１】
しかしながら上記の構成では、予圧ボス６に、ブラシ７及びバネ８を挿入するための貫通孔を形成しなければならないため、予圧ボス６の加工工数が増えてしまうという問題点があった。また、ブラシ７およびバネ８を貫通孔に挿入するための工程が必要になり、組立工数が増えてしまうという問題点があった。
【００１２】
本発明は上記従来の問題点を解決するもので、予圧ボスの加工工数を削減するとともに、アース部品の組立工数を削減する回転ヘッドドラム装置を提供することを目的とする。
【課題を解決するための手段】
【００１３】
この目的を達成するために本発明の回転ヘッドドラム装置は、磁気テープを案内する固定ドラムと、前記固定ドラムに同軸的に固着されているシャフトと、前記シャフトを中心に回転し、少なくとも一対の磁気ヘッドを有する回転ドラムと、前記回転ドラムと前記シャフトとの間でかつ前記シャフトの軸方向の上部と下部に配された一対の軸受け部と、前記回転ドラムの上部において前記シャフトに固着された予圧ボスと、前記シャフトに装着され、かつ前記軸受け部と前記予圧ボスとを電気的に接続させるアースブラシユニットとを備え、前記アースブラシユニットは、少なくとも前記シャフトが挿着可能な環状部と、前記環状部から径方向へ延設され弾性変形可能なリブと、前記リブの主面から鉛直方向へ突設されたブラシ部とを備え、前記環状部が前記軸受け部の内輪端面と前記予圧ボスの下端面との間に保持され、前記ブラシ部が前記軸受け部の外輪端面に接触するように配置されるものである。
【発明の効果】
【００１４】
以上のように本発明は、加工工数を削減することができるとともに、組立工数を削減することできるという優れた効果が得られる。
【発明を実施するための最良の形態】
【００１５】
本発明の回転ヘッドドラム装置は、前記ブラシ部は、前記リブの弾性力によって、前記軸受け部の外輪端面に圧接される構成としてもよい。
【００１６】
本発明の回転ヘッドドラム装置は、前記軸受け部の外輪端面に対する前記ブラシ部の当接圧を、１５〜２５ｇｆとすることができる。
【００１７】
（実施の形態１）
図１は、実施の形態１における回転ヘッドドラム装置の断面図を示す。実施の形態１の回転ヘッドドラムの外観構成は、図３に示す構成と同等であるため、詳細説明は省略する。
【００１８】
図１において、固定ドラム１１は、例えばアルミダイカストにより略円筒形状に形成され、磁気テープ（図示せず）に映像信号などを記録または再生させる際、外周円筒面に磁気テープが巻き回される。また、固定ドラム１１は、その底面がシャーシ（図示せず）に固定されている。
【００１９】
シャフト１２は、固定ドラム１１に同軸的に固着され、例えばステンレス鋼などの導電材料で形成されている。
【００２０】
回転ドラム１３は、例えばアルミダイカストにより略円筒形状に形成され、シャフト１２と同軸的かつ回転自在に配されている。また、回転ドラム１３は、磁気テープ（図示せず）に映像信号などを記録または再生させる際、外周円筒面に磁気テープが巻き回される。また、回転ドラム１３には、後述する一対の磁気ヘッド１４が内蔵されている。また、回転ドラム１３は、径方向の略中央に、シャフト１２及び玉軸受け１５（後述）を配置可能な貫通孔が形成されている。
【００２１】
磁気ヘッド１４は、回転ドラム１３に固定されており、磁気テープに対して映像信号などの情報信号を記録または再生させることができる。
【００２２】
玉軸受け１５は、回転ドラム１３の内面における上部と下部にそれぞれ配され、回転ドラム１３をシャフト１２に対して回転自在に支持させている。玉軸受け１５は、回転ドラム１３に固定された上部外輪部１５ａ及び下部外輪部１５ｃ、シャフト１２に固定された上部内輪部１５ｂ及び下部内輪部１５ｄとから構成されている。また、少なくとも上部外輪部１５ａは、導電材料で形成されている。なお、本実施の形態では、玉軸受けとしているが、他の軸受け構造であってもよい。
【００２３】
予圧ボス１６は、その下端面１６ａと上部内輪部１５ｂの上端面とで、後述するアースブラシユニット１７の環状部を挟み込んで保持している。また、予圧ボス１６は、シャフト２に圧入されて固定されている。また、予圧ボス１６は、導電材料で形成されている。
【００２４】
アースブラシユニット１７は、導電材料で構成され、上部内輪部１５ｂと予圧ボス１６とで挟持されている。アースブラシユニット１７の構成を図２に示す。アースブラシユニット１７は、図２に示すように、シャフト１２が挿通可能な内径を有する環状部３１と、環状部３１から径方向へ延設され弾性変形可能なリブ３２と、リブ３２の先端に配されたブラシ部３３とから構成されている。ブラシ部３３の下部には、略半球状の接点部３３ａが設けられているが、形状は半球状に限らず、例えば円錐状等のように他の形状であってもよい。また、リブ３２は環状部３１に対して一体に設けられているが、環状部３１とリブ３２とを別部品で構成してネジなどで締結させてもよい。また、リー部３２及びブラシ部３３は、環状部３１に１ヶ所のみ設けたが、複数箇所に設けてもよい。
【００２５】
上記のような構成のアースブラシユニット１７を回転ヘッドドラム装置に配した際、ブラシ部３３が、上部外輪部１５ａの上端面に当接されるように配される。この時、図２に示すように、リブ３２を弾性変形させてブラシ部３３を上部外輪部１５ａに当接させることで、弾性力を伴って当接させることができるので、ブラシ部３３と上部外輪部１５ａとを確実に電気的接続させることができる。
【００２６】
モータ部ローター１８は、回転ドラム１３に固定され、回転ドラム１３の回転に伴って回転する。モータ部ステーター１９は、予圧ボス１６にビスなどで固定され、モータ部ローター１８とともにモータユニットを構成している。また、モータ部ステーター１９は、底面にコイルやステーターコアが配されており、コイルがモータ部ローター１８に対して所定の間隙を介して配されている。
【００２７】
以下、動作について説明する。
【００２８】
まず、図１において、磁気テープに対して映像信号などを記録または再生させる際は、テープガイドポストなどのテープ案内機構（図示せず）によって、磁気テープを回転ドラム１３及び固定ドラム１４の外周円筒面に巻き回される。
【００２９】
次に。磁気テープをキャプスタン及びピンチローラ（図示せず）によって所定の方向へ走行させるとともに、磁気ヘッド１４を含む回転ドラム１３をシャフト１２を中心に回転させることによって、磁気テープに対して映像・音声等の情報信号を記録させることができる。また、記録済みの磁気テープであれば、記録された情報を再生させることができる。以上の動作は、従来と同様である。
【００３０】
磁気テープに対して情報を記録または再生させる際、磁気テープと回転ドラム１３とを摺接させているため、両者の間には摩擦が生じ、静電気が発生する。そこで、図１に示すように、玉軸受け１５と予圧ボス１６との間にアースブラシユニット１７を配することで、回転ドラム１３において発生した静電気をシャーシ（図示せず）にアースさせている。つまり、磁気テープと回転ドラム１３との摺動により発生した静電気は、回転ドラム１３→上部外輪部１５ａ→アースブラシユニット１７→予圧ボス１６→シャフト１２→固定ドラム１１→シャーシの経路を通り、アースすることができる。
【００３１】
次に、アースブラシユニット１７の構成について説明する。
【００３２】
図２に示すアースブラシユニット１７を、図１に示す回転ヘッドドラム装置に配置させる際は、回転ヘッドドラム装置の組み立て時、固定ドラム１４に圧入されたシャフト１２に、玉軸受け１５及び回転ドラム１３を組み付けた後、環状部３１をシャフト１２に嵌合させてアースブラシユニット１７をシャフト１２に装着させる。アースブラシユニット１７は、環状部３１が、上部内輪部１５ｂの上面に配置され、ブラシ部３３が上部外輪部１５ａの上面に配置されるように、環状部３１の寸法、リブ３２の長さ、環状部３１におけるリブ３２の配置が最適化されている。
【００３３】
次に、予圧ボス１６を、その下端部１６ａと上部内輪部１５ｂとで環状部３１を挟持可能な位置まで、シャフト１２へ圧入させる。この時、ブラシ部３３における接点部３３ａが上部外輪部１５ａに当接されるとともに、リブ３２が図１に示すように弾性変形されるため、ブラシ部３３を上部外輪部１５ａに対して所定の圧力で接触させることができる。
【００３４】
なお、上部外輪部１５ａに対するブラシ部３３の当接圧が高すぎると、回転ドラム１３をスムーズに回転させることができなくなり、回転が不安定になったり、回転ドラム１３を回転駆動させているモータの消費電力が上昇する可能性がある。また、当接圧が低すぎると、上部外輪部１５ａにおける振れ精度や外部からの振動によって、ブラシ部３３が断続的に上部外輪部１５ａから離間し、上部外輪部１５ａとブラシ部３３との間で異音が発生する可能性がある。そこで、本実施の形態では、実験の結果、上部外輪部１５ａに対するブラシ部３３の当接圧は１５〜２５ｇｆが好ましいことがわかったので、前述の当接圧を実現するために、リブ３２のバネ定数や、ブラシ部３３の寸法を設定している。これにより、回転ドラム１３の回転時、上部外輪部１５ａにおけるフレ精度や外部からの振動に関係なく、ブラシ部３３を上部外輪部１５ａに確実に当接させることができる。
【００３５】
以上のように本実施の形態によれば、従来必要だった貫通孔が不要となり、予圧ボス１６の加工工数を削減することができる。また、アースブラシユニット１７の環状部３１にシャフト１２を挿通させ、予圧ボス１６をシャフト１２へ圧入させて、予圧ボス１６と玉軸受け１５とでアースブラシユニット１７を保持させることができるので、アース部品の組立工数を削減することできる。加工工数や組立工数を削減できることにより、量産上のコストを低減させることができる。
【００３６】
また、アースブラシユニット１７は、リブ３２の弾性力によってブラシ部３３を玉軸受け１５側へ付勢させ接触させているため、ブラシ部３３と玉軸受け１５とを確実に電気的接触させることができる。また、回転ドラム１３の回転時に、ブラシ部３３と玉軸受け１５との間で発生する異音を抑えることができる。
【００３７】
なお、アースブラシユニット１７は、図２に示す構成に限るものではない。すなわち、環状部３１の形状は円形に限るものではなく、シャフト１２の断面形状に合わせた形状であればよい。また、リブ３２及びブラシ部３３は、それぞれ１つに限るものではなく、複数個設けることで、アースの確実性を向上させることができる。
【００３８】
また、アースブラシユニット１７を配置させる部位は、下部外輪部１５ｃ及び下部内輪部１５ｄの近傍であってもよい。その際は、例えば下部内輪部１５ｄと固定ドラム１４との間に、環状部３１を挟み込むことで、アースブラシユニット１７を保持させる構成が考えられる。
【００３９】
また、アースブラシユニット１７のブラシ部３３を接触させる部位は、上部外輪部１５ａに限らず、回転ドラム１３に接触させてもよい。
【００４０】
また、環状部３１は、図２に示すようなリング形状に限らず、一部を切り欠いた略「Ｃ」形状としてもよい。これにより、環状部３１の径方向への弾性変形が容易になり、環状部３１の内径寸法よりもシャフト１２の外径寸法が大きい場合でも、容易にアースブラシユニット１７をシャフト１２へ装着させることができる。
【産業上の利用可能性】
【００４１】
本発明にかかる回転ヘッドドラム装置は、ビデオテープレコーダーなどに搭載して有用である。
【図面の簡単な説明】
【００４２】
【図１】本発明の実施の形態１における回転ヘッドドラム装置の断面図
【図２】実施の形態１におけるアースブラシユニットの構成を示す斜視図
【図３】回転ヘッドドラム装置の外観を示す斜視図
【図４】従来の回転ヘッドドラム装置の断面図
【符号の説明】
【００４３】
１１    固定ドラム
１２    シャフト
１３    回転ドラム
１４    磁気ヘッド
１５    玉軸受け
１６    予圧ボス
１７    アースブラシユニット
１８    モータ部ローター
１９    モータ部ステーター
３１    環状部
３２    リブ
３３    ブラシ部
【図１】
2007200372.tif 000003
【図２】
2007200372.tif 000004
【図３】
2007200372.tif 000005
【図４】
2007200372.tif 000006